(57)【特許請求の範囲】
【請求項１】
平滑用コンデンサを有する直流電源回路と；
前記平滑用コンデンサの両端間に接続される発光ダイオードと；
第１の抵抗を有し、前記発光ダイオードに流れる電流を検出する電流検出回路と；
前記平滑用コンデンサの両端間および前記発光ダイオードの両端間に接続された第２の抵抗および第１のスイッチング素子の直列回路を有し、前記電流検出回路が前記発光ダイオードの最大許容電流以下で所定値以上の電流が流れていることを検出しているときに前記第１のスイッチング素子がオンするように制御するバイパス回路と；
前記電流検出回路よりも前記発光ダイオード側において、前記発光ダイオードと直列接続された第２のスイッチング素子を有してなり、前記第２のスイッチング素子のオンオフが前記バイパス回路の前記第１のスイッチング素子のオンオフにより第２の抵抗の両端間に発生する電圧に応じて制御される電流遮断回路と；
を具備していることを特徴とするＬＥＤ点灯装置。
【請求項２】
請求項１記載のＬＥＤ点灯装置と；
前記ＬＥＤ点灯装置を配設している器具本体と；
を具備していることを特徴とするＬＥＤ照明器具。
【発明の詳細な説明】
【技術分野】
【０００１】
本発明は、発光ダイオードを点灯するＬＥＤ点灯装置およびこのＬＥＤ点灯装置を具備するＬＥＤ照明器具に関する。
【背景技術】
【０００２】
発光ダイオード（ＬＥＤ）は、光源として一般用照明器具に利用されている。この照明器具は、所定の照度（明るさ）を得るために、多数の発光ダイオードを搭載している。また、個々の発光ダイオードからの光出力をできるだけ高出力とするために、発光ダイオードに最大許容電流に近い定電流が流されているものがある。ここで、電源電圧が急激に変動すると、定電流制御が追いつかず、発光ダイオードに過電流が流れることがある。また、発光ダイオードを電源が投入されている点灯装置から外したり、点灯装置に再接続するときにも、発光ダイオードに過電流が流れることがある。
【０００３】
そして、ＬＥＤユニットが再接続されたときにＬＥＤユニットに過電流が流れることを防止するＬＥＤ駆動装置が提案されている（特許文献１参照。）。この従来技術のＬＥＤ駆動装置は、ＬＥＤユニットが着脱可能に接続される接続手段と、ＬＥＤユニットが接続手段に接続されているか、ＬＥＤユニットが接続手段から外れたかを判別する無負荷判別手段を備えていて、抵抗器とスイッチング素子との直列回路である放電手段が、直流−直流変換手段の平滑用コンデンサに並列に接続されている。そして、オンオフ切替手段は、ＬＥＤユニットが接続手段に接続されていると無負荷判別手段で判別されたときは、スイッチング素子をオフ状態にし、ＬＥＤユニットが接続手段から外れたと無負荷判別手段で判別されたときにスイッチング素子をオフ状態からオン状態に切り替えるものである。
【先行技術文献】
【特許文献】
【０００４】
【特許文献１】特開２０１０−５５８２４号公報（第７−８頁、第１図）
【発明の概要】
【発明が解決しようとする課題】
【０００５】
特許文献１のＬＥＤ駆動装置は、ＬＥＤユニットが接続手段に接続されていないときに放電手段を平滑用コンデンサに並列接続し平滑用コンデンサの両端間電圧を低下させ、ＬＥＤユニットが接続手段に接続されたときにＬＥＤユニットに過電流が流れることを防止するものである。したがって、ＬＥＤユニットが接続手段に接続されているときの電源電圧の急激な変動などによる過電流がＬＥＤユニットに流れることを防止することができない。
【０００６】
また、ＬＥＤ駆動装置は、無負荷判別手段やオンオフ切替手段を設けて、放電手段のスイッチング素子のオンオフ状態を切り替えるので、回路構成が複雑となり、高価になるという欠点を有する。
【０００７】
本発明は、安価に形成可能であって、発光ダイオードに過電流が流れることを抑制できるＬＥＤ点灯装置およびこのＬＥＤ点灯装置を具備するＬＥＤ照明器具を提供することを目的とする。
【課題を解決するための手段】
【０００８】
請求項１に記載のＬＥＤ点灯装置の発明は、平滑用コンデンサを有する直流電源回路と；前記平滑用コンデンサの両端間に接続される発光ダイオードと；第１の抵抗を有し、前記発光ダイオードに流れる電流を検出する電流検出回路と；前記平滑用コンデンサの両端間および前記発光ダイオードの両端間に接続された第２の抵抗および第１のスイッチング素子の直列回路を有し、前記電流検出回路が前記発光ダイオードの最大許容電流以下で所定値以上の電流が流れていることを検出しているときに前記第１のスイッチング素子がオンするように制御するバイパス回路と；前記電流検出回路よりも前記発光ダイオード側において、前記発光ダイオードと直列接続された第２のスイッチング素子を有してなり、前記第２のスイッチング素子のオンオフが前記バイパス回路の前記第１のスイッチング素子のオンオフにより第２の抵抗の両端間に発生する電圧に応じて制御される電流遮断回路と；を具備していることを特徴とする。
【０００９】
本発明および以下の各発明において、特に言及しない限り、各構成は以下による。
【００１０】
平滑用コンデンサの両端は、直流電源回路の出力端を意味する。
【００１１】
直流電源回路は、バッテリ、交流電圧を整流または整流平滑したもの、これらに昇圧チョッパ回路、昇降圧チョッパ回路または降圧チョッパ回路を接続したものなど、平滑用コンデンサの両端間に定電圧の直流電圧を出力するものであればよい。
【００１２】
発光ダイオードは、１個または複数個であってもよく、複数個の場合、直列接続または並列接続のいずれであってもよい。
【００１３】
第２の抵抗は、放電抵抗として機能するように、その抵抗値が設定される。
【００１４】
「所定値以上の電流」とは、発光ダイオードに流れる過電流を意味する。そして、所定値は、例えば発光ダイオードに流すことのできる最大許容電流とすることができる。
【００１５】
本発明によれば、電流検出回路に過電流である所定値以上の電流が流れると、発光ダイオードが点灯した状態で、その期間に亘ってバイパス回路の第１のスイッチング素子がオンされ、第２の抵抗が平滑用コンデンサの両端間に接続される。平滑用コンデンサの両端間電圧は、その定電圧を上回る過電圧が抵抗により放電されて、定電圧となる。これにより、発光ダイオードに過電流が流れることが抑制される。
【００１７】
発光ダイオードは、第２のスイッチング素子がオンすると、平滑用コンデンサの両端間に接続されて点灯し、第２のスイッチング素子がオフすると、平滑用コンデンサの両端間に接続されなくなって消灯する。
【００１８】
そして、第２のスイッチング素子は、バイパス回路の第１のスイッチング素子がオフしているときにはオンし、第１のスイッチング素子がオンしているときにはオフする。
【００１９】
本発明によれば、電流検出回路に過電流である所定値以上の電流が流れると、バイパス回路の第１のスイッチング素子がオンされるとともに、第２のスイッチング素子がオフされる。発光ダイオードは、平滑用コンデンサの両端間に接続されなくなり、過電流が流れなくなる。また、電流検出回路に電流が流れなくなって、バイパス回路の第１のスイッチング素子がオフし、第２のスイッチング素子がオンする。
【００２０】
第１のスイッチング素子がオンしてオフするまでの期間、バイパス回路の第２の抵抗が平滑用コンデンサの両端間に接続される。平滑用コンデンサの両端間電圧は、その定電圧を上回る過電圧が第２の抵抗により放電されて、定電圧となる。これにより、発光ダイオードに定電圧が印加されて定電流が流れ、過電流が流れることが抑制される。
【００２１】
請求項２に記載のＬＥＤ照明器具の発明は、請求項１記載のＬＥＤ点灯装置と；前記ＬＥＤ点灯装置を配設している器具本体と；を具備していることを特徴とする。
【００２２】
本発明によれば、請求項１記載のＬＥＤ点灯装置を具備するので、光源である発光ダイオードに過電流が流れることを抑制できるＬＥＤ照明器具が提供される。
【発明の効果】
【００２３】
請求項１の発明によれば、電流検出回路に過電流が流れる期間に亘ってバイパス回路の第２の抵抗が平滑用コンデンサの両端間に接続されて、平滑用コンデンサの両端間の過電圧が第２の抵抗により放電されるので、発光ダイオードが点灯している状態で、発光ダイオードに過電流が流れることが抑制することができて、過電流による発光ダイオードの破壊や短寿命などを防止することができるとともに、第１の抵抗に過電流が流れると、バイパス回路の第１のスイッチング素子のオン、電流遮断回路の第２のスイッチング素子のオフにより、発光ダイオードが平滑用コンデンサの両端間に接続されなくなって発光ダイオードに過電流が流れなくなるとともに、バイパス回路の第１のスイッチング素子がオンしているときに第２の抵抗が平滑用コンデンサの両端間に接続されて、平滑用コンデンサの両端間電圧の過電圧が抵抗により放電されるので、発光ダイオードに過電流が流れることが抑制することができて、過電流による発光ダイオードの破壊や短寿命などを防止することができる。
【００２５】
請求項２の発明によれば、光源である発光ダイオードに過電流が流れることを抑制するＬＥＤ点灯装置を具備するので、過電流による発光ダイオードの破壊や短寿命などが防止されるＬＥＤ照明器具を提供することができる。
【図面の簡単な説明】
【００２６】
【図１】本発明の実施例１を示すＬＥＤ点灯装置の概略回路図。
【図２】同じく、発光ダイオードに流れる電流の変化図。
【図３】本発明の実施例２を示すＬＥＤ点灯装置の概略回路図。
【図４】本発明の実施例３を示すＬＥＤ照明器具の概略斜視図。
【発明を実施するための形態】
【００２７】
以下、本発明の一実施の形態について、図面を参照して詳細に説明する。
【００２８】
本発明において、直流電源回路の平滑用コンデンサの両端間には、抵抗およびスイッチング素子の直列回路が接続される。そして、電流検出回路に過電流が流れる期間に亘ってスイッチング素子がオンされ、平滑用コンデンサの両端間の過電圧が抵抗により放電される。これにより、発光ダイオードに過電流が流れることが抑制される。
【実施例１】
【００２９】
図１および図２は、本発明の実施例１を示し、図１はＬＥＤ点灯装置の概略回路図、図２は発光ダイオードに流れる電流の変化図である。
【００３０】
図１において、ＬＥＤ点灯装置１は、直流電源回路２、発光ダイオード３、電流検出回路４およびバイパス回路５を有して構成されている。そして、入力端子６ａ，６ｂが商用交流電源Ｖｓに接続され、出力端子７ａ，７ｂがコネクタ８に設けられている。
【００３１】
直流電源回路は、ＡＣ−ＤＣ変換回路９および降圧チョッパ回路１０により構成されている。ＡＣ−ＤＣ変換回路９は、全波整流回路１１、トランスＴ１を有して形成されたノイズフィルタ回路１２およびノイズフィルタとして作用するコンデンサＣ１を有して形成されている。そして、全波整流回路１１の入力端子は、ノイズフィルタ回路１２を介して入力端子６ａ，６ｂに接続されている。全波整流回路１１の出力端子間にコンデンサＣ１を接続している。コンデンサＣ１の低電位側は、コンデンサＣ２を介してアースＥに接続されている。ＡＣ−ＤＣ変換回路９は、商用交流電源Ｖｓの交流電圧例えばＡＣ１００Ｖを全波整流し、全波整流電圧をコンデンサＣ１の両端間に出力する。
【００３２】
降圧チョッパ回路１０は、周知の構成で形成され、ＡＣ−ＤＣ変換回路９の出力間に接続されている。すなわち、ＡＣ−ＤＣ変換回路９のコンデンサＣ１に並列的に接続された電界効果トランジスタＱ１およびダイオードＤ１の直列回路と、ダイオードＤ１に並列的に接続されたインダクタＬ１および平滑用コンデンサＣ３の直列回路とを有している。平滑用コンデンサＣ３の両端間は、降圧チョッパ回路１０の出力間であるとともに直流電源回路２の出力間であり、出力端子７ａ，７ｂに接続されている。この出力端子７ａ，７ｂに発光ダイオード３が接続される。
【００３３】
そして、電界効果トランジスタＱ１は、そのゲート、ソース間が制御回路１３に接続されている。制御回路１３は、例えばＤＣ３〜４Ｖの制御信号（駆動電圧）を電界効果トランジスタＱ１のゲート、ソース間に印加して電界効果トランジスタＱ１をオンさせるものであり、発光ダイオード３に定電流が流れるように制御信号を出力し、電界効果トランジスタＱ１をオンオフ動作させる。これにより、ＡＣ−ＤＣ変換回路９から出力された直流電圧は、チョッピングされ、平滑用コンデンサＣ３の両端間に定電圧が発生する。
【００３４】
このように、直流電源回路２は、平滑用コンデンサＣ３を有し、発光ダイオード３に定電流が流れるように、平滑用コンデンサＣ３の両端間に直流圧が出力するように形成されている。
【００３５】
発光ダイオード３は、複数個が直列接続されたＬＥＤ回路１４に形成されている。発光ダイオード３は、同一種類からなり、ＬＥＤ回路１４の両端間に平滑用コンデンサＣ３の両端間電圧（定電圧）が印加されると、定電流が流れて点灯し、照明光として利用される可視光（例えば白色光）を放射するように形成されている。
【００３６】
電流検出回路４は、発光ダイオード３に流れる電流を検出するものであり、当該電流を第１の抵抗Ｒ１で検出する。第１の抵抗Ｒ１は、平滑用コンデンサＣ３の負極側および発光ダイオード３の間に介挿されている。発光ダイオード３に流れる電流は、第１の抵抗Ｒ１の両端間電圧に変換され、制御回路１３に入力される。
【００３７】
バイパス回路５は、抵抗としての第２の抵抗Ｒ２およびスイッチング素子としてのＮ形バイポーラトランジスタＴｒ１の直列回路と、バイポーラトランジスタＴｒ１に並列接続されたコンデンサＣ４にて形成され、当該直列回路が平滑用コンデンサＣ３の両端間に接続されている。そして、トランジスタＴｒ１のベース、エミッタ間が電流検出回路４の第１の抵抗Ｒ１の両端間に接続されている。
【００３８】
バイパス回路５は、トランジスタＴｒ１がオンすると、第２の抵抗Ｒ２の両端間が平滑用コンデンサＣ３の両端間に接続される。これにより、平滑用コンデンサＣ３の両端間電圧は、第２の抵抗Ｒ２での電力消費により放電される。そして、トランジスタＴｒ１は、第１の抵抗Ｒ１に定電流が流れているときには、オンしない。しかし、トランジスタＴｒ１は、第１の抵抗Ｒ１に定電流を上回って設定される所定値以上の電流すなわち過電流が流れると、第１の抵抗Ｒ１の両端間電圧が増加することによりオンする。トランジスタＴｒ１は、第１の抵抗Ｒ１に所定値以上の電流が流れる期間に亘ってオンにされる。
【００３９】
なお、定電流は、例えば、発光ダイオード３の最大許容電流を幾分下回る電流に設定し、所定値は、最大許容電流を幾分上回る電流に設定することができる。
【００４０】
次に、本発明の実施例１の作用について述べる。
【００４１】
発光ダイオード３に流れる電流は、電流検出回路４の第１の抵抗Ｒ１により検出され、直流電源回路２の制御回路１３に入力される。制御回路１３は、発光ダイオード３に定電流が流れるように降圧チョッパ回路１０の電界効果トランジスタＱ１のオンオフ動作を制御し、平滑用コンデンサＣ３の両端間に直流電圧を出力させる。これにより、発光ダイオード３に定電流が流れて、発光ダイオード３は、安定的に点灯する。
【００４２】
そして、商用交流電源Ｖｓの急激な電圧変動や振動等によるコネクタ８の接触不良などが発生すると、平滑用コンデンサＣ３の両端間電圧が上昇することがある。この電圧上昇に対して、制御回路１３は、定電流制御を行うが、定電流制御が追いつかず、図２に示すように、発光ダイオード３に所定値以上の電流が流れることがある。
【００４３】
発光ダイオード３に所定値以上の電流すなわち過電流が流れると、電流検出回路４の第１の抵抗Ｒ１の両端間電圧が上昇することにより、バイパス回路５のトランジスタＴｒ１がオンする。トランジスタＴｒ１は、第１の抵抗Ｒ１が過電流を検出する期間に亘ってオンにされる。
【００４４】
トランジスタＴｒ１がオンしている期間、バイパス回路５の第２の抵抗Ｒ２が平滑用コンデンサＣ３の両端間に接続されて、平滑用コンデンサＣ３の両端間電圧が第２の抵抗Ｒ２で放電される。これにより、平滑用コンデンサＣ３の両端間電圧は、次第に低下していき、発光ダイオード３に流れる過電流は、次第に減少していき、電流検出回路４の第１の抵抗Ｒ１の両端間電圧は、次第に低下していく。
【００４５】
そして、第１の抵抗Ｒ１に流れる電流が所定値を下回ると、第１の抵抗Ｒ１の両端間に発生する電圧は、バイパス回路５のトランジスタＴｒ１をオンにさせることはできず、トランジスタＴｒ１はオフする。これにより、平滑用コンデンサＣ３の両端間に第２の抵抗Ｒ２が接続されなくなって、平滑用コンデンサＣ３の両端間電圧の放電が停止される。ここで、発光ダイオード３は、トランジスタＴｒ１がオンし、平滑用コンデンサＣ３の両端間電圧が放電されている期間においても点灯する。
【００４６】
そして、トランジスタＴｒ１がオフした後、制御回路１３による定電流制御により、発光ダイオード３に定電流が流れるようになる。
【００４７】
上述したように、電流検出回路２の第１の抵抗Ｒ１に過電流が流れる期間に亘ってバイパス回路５の第２の抵抗Ｒ２が平滑用コンデンサＣ３の両端間に接続されて、平滑用コンデンサＣ３の両端間の過電圧が第２の抵抗Ｒ２により放電されるので、発光ダイオード３が点灯している状態で、発光ダイオード３に過電流が流れることが抑制することができて、過電流による発光ダイオード３の破壊や短寿命などを防止することができる。
【００４８】
そして、バイパス回路５のトランジスタＴｒ１のオンオフ制御は、電流検出回路４の第１の抵抗Ｒ１の両端間電圧により行う簡易な構成であるので、ＬＥＤ点灯装置１を安価に形成することができる。
【００４９】
なお、バイパス回路５のトランジスタＴｒ１は、直流電源回路２の制御回路１３により、電流検出回路４が過電流を流れていることを検出しているときに、オンするように制御されてもよい。
【実施例２】
【００５０】
図３は、本発明の実施例２を示すＬＥＤ点灯装置の概略回路図である。なお、図１と同一部部には、同一符号を付して説明は省略する。
【００５１】
図３に示すＬＥＤ点灯装置１５は、図１に示すＬＥＤ点灯装置１において、電流遮断回路１６を設けたものである。また、複数の出力端子７ａ１，７ｂ１、７ａ２，７ｂ２を設けて、複数のＬＥＤ回路１４を接続するように構成したものである。そして、各ＬＥＤ回路１４に対して、電流検出回路４および電流遮断回路１６が設けている。そして、電流検出回路４および電流遮断回路１６の間に抵抗Ｒ３を介挿している。
【００５２】
電流遮断回路１６は、発光ダイオード３に流れる電流を遮断するものであり、発光ダイオード３に直列接続されるとともに、電流検出回路４よりも発光ダイオード３側に接続されている。電流遮断回路１６は、スイッチ素子としてのＮ形バイポーラトランジスタＴｒ２により形成されている。トランジスタＴｒ２は、電流検出回路４および発光ダイオード３の間に介挿されている。そして、トランジスタＴｒ２のベースは、バイパス回路５の第２の抵抗Ｒ２およびトランジスタＴｒ１の中点Ａ１に接続されている。
【００５３】
トランジスタＴｒ２は、バイパス回路５のトランジスタＴｒ１がオフしているときに、平滑用コンデンサＣ３から第２の抵抗Ｒ２を介してベースに電流が供給されてオンする。これにより、発光ダイオード３は、平滑用コンデンサＣ３の両端間に接続されて点灯する。
【００５４】
そして、トランジスタＴｒ２は、バイパス回路５のトランジスタＴｒ１がオンすると、電流検出回路４の第１の抵抗Ｒ１を介して、ベースおよびエミッタ間が短絡されてオフする。これにより、発光ダイオード３は、平滑用コンデンサＣ３と遮断されて、電流が流れなくなる。このように、トランジスタＴｒ２は、バイパス回路５のトランジスタＴｒ１のオンオフに応じてオンオフ制御される。
【００５５】
次に、本発明の実施例２の作用について述べる。
【００５６】
電流検出回路４の第１の抵抗Ｒ１に所定値以上の電流すなわち過電流が流れると、第１の抵抗Ｒ１の両端間電圧が増加して、バイパス回路５のトランジスタＴｒ１がオンにされる。トランジスタＴｒ１がオンすると、電流遮断回路１６のトランジスタＴｒ２がオフする。これにより、発光ダイオード３は、平滑用コンデンサＣ３の両端間に接続されなくなり、電流が流れなくなる。また、電流検出回路４の第１の抵抗Ｒ１に電流が流れなくなって、第１の抵抗Ｒ１の両端間に電圧が発生しなくなることにより、バイパス回路５のトランジスタＴｒ１がオフする。トランジスタＴｒ１がオフすると、電流遮断回路１６のトランジスタＴｒ２がオンして、発光ダイオード３が平滑用コンデンサＣ３に接続される。
【００５７】
そして、バイパス回路５のトランジスタＴｒ１がオンしてオフするまでの期間に、バイパス回路５の第２の抵抗Ｒ２が平滑用コンデンサＣ３の両端間に接続される。平滑用コンデンサＣ３の両端間電圧は、第２の抵抗Ｒ２により放電される。
【００５８】
そして、電流検出回路４の第１の抵抗Ｒ１に所定値以上の電流が流れなくなるまで、上述を繰り返すことにより、平滑用コンデンサＣ３の両端間電圧は、定電圧となっていく。
【００５９】
なお、発光ダイオード３は、電流遮断回路１６のトランジスタＴｒ２がオフすると消灯するが、この消灯によりバスパス回路５のトランジスタＴｒ１がオフして遮断回路１６のトランジスタＴｒ２がオンするので、直ちに点灯し、目視的にはちらつきがあっても点灯しているように見える。
【００６０】
上述したように、電流検出回路３の第１の抵抗Ｒ１に過電流が流れると、バイパス回路５のトランジスタＴｒ１のオン、電流遮断回路１６のトランジスタＴｒ２のオフにより、発光ダイオード３が平滑用コンデンサＣ３の両端間に接続されなくなって発光ダイオード３に過電流がなくなるとともに、バイパス回路５のトランジスタＴｒ１がオンしているときに第２の抵抗Ｒ２が平滑用コンデンサＣ３の両端間に接続されて、平滑用コンデンサＣ３の両端間電圧の過電圧が第２の抵抗Ｒ２により放電されるので、発光ダイオード３に過電流が流れることが抑制することができて、過電流による発光ダイオード３の破壊や短寿命などを防止することができる。
【実施例３】
【００６１】
図４は、本発明の実施例３を示すＬＥＤ照明器具の概略斜視図である。なお、図２と同一部分には、同一符号を付して説明は省略する。
【００６２】
図４に示すＬＥＤ照明器具１７は、例えば天井面に直付け又は吊り下げられる一般照明用器具であり、長方形の略箱状に形成された器具本体１８およびこの器具本体１８に配設された光源ユニット１９を具備している。発光ダイオード３は、発光体２０に形成されて光源ユニット１９側に設けられている。
【００６３】
光源ユニット１９は、ユニット本体２１およびカバー体２２からなっている。ユニット本体２１は、その長手方向の寸法が器具本体１８と同等であり、その幅方向の寸法が器具本体１８よりも大きく形成されているとともに、比較的浅い深さを有する有底の枠体に形成されている。
【００６４】
そして、発光体２０は、ユニット本体２１の開口２１ａ側に発光ダイオード３が位置するようにして、図示しないねじなどにより取り付けられている。
【００６５】
カバー体２２は、例えばアクリル樹脂からなる透光性部材としての長方形の透光板２３を具備している。そして、ユニット本体２１の開口２１ａを閉塞するようにして、ねじ２４，２４により、ユニット本体２１を介して器具本体１８に取り付けられている。発光体２０は、透光板２３により覆われている。
【００６６】
そして、器具本体１８は、その内部に図示しないＬＥＤ点灯装置１５を配設している。ＬＥＤ点灯装置１５は、その各出力端子７ａ１，７ｂ１、７ａ２，７ｂ２がコネクタ８，８および図示しないリード線により発光体２０に接続されており、発光ダイオード３を接続している。
【００６７】
ＬＥＤ点灯装置１５に商用交流電源Ｖｓの交流電圧が投入されると、発光ダイオード３が点灯し、発光ダイオード３から可視光例えば白色光が放射される。この放射光は、ユニット本体２１の透光板２３を透過して、器具本体１８の下方側に位置する床面側を照明する。
【００６８】
ＬＥＤ照明器具１７は、光源である発光ダイオード３に過電流が流れることを抑制するＬＥＤ点灯装置１５を具備するので、過電流による発光ダイオード３の破壊や短寿命などを防止することができ、これにより、品質や信頼性などを向上させることができる。
【産業上の利用可能性】
【００６９】
本発明は、発光ダイオードを光源とするＬＥＤランプやＬＥＤ照明器具に利用することができる。
【符号の説明】
【００７０】
１，１５…ＬＥＤ点灯装置、  ２…直流電源回路、  ３…発光ダイオード、  ４…電流検出回路、  ５…バイパス回路、  １６…電流遮断回路、  １７…ＬＥＤ照明器具、  １８…器具本体、  Ｃ３…平滑用コンデンサ、  Ｒ２…抵抗としての第２の抵抗、  Ｔｒ１…スイッチング素子としてのＮ形バイポーラトランジスタ、Ｔｒ２…スイッチ素子としてのＮ形バイポーラトランジスタ
【図１】
0005447969.tif 000002
【図２】
0005447969.tif 000003
【図３】
0005447969.tif 000004
【図４】
0005447969.tif 000005